(57)【要約】【課題】便器本体のリムに対する局部洗浄装置の装置ケースの位置決め強度と止水強度とをそれぞれ高めること。【解決手段】ボウル部３の後部に位置するリム後部４ａよりも後方Ｂ位置にリム４と連続して後方Ｂに突出する左右の突出側壁１１を設けると共に両突出側壁１１間に装置ケース８を収納可能な後方Ｂに開口した収納開口部１２を設ける。収納開口部１２の互いに対向する両内側面１１ａにおける前後Ａ,Ｂにずれた左右対角位置Ｐ１,Ｐ２に一対の嵌合部１３を設け、収納開口部１２に収納される装置ケース８の左右両側の一対の嵌合部１３と個別に対応する対角位置に一対の嵌合部１３に着脱自在に嵌合する一対の被嵌合部１４を設け、装置ケース８の前端部をリム後部４ａと装置ケース８との間に配置されるシール部材１５に密着させた便器装置１である。【選択図】図１
2010255315.tif 000002
【特許請求の範囲】
【請求項１】
ボウル部の上端縁に沿ってリムが形成された便器本体と、便器本体の後部上面に配置されて人体の局部を洗浄する局部洗浄ノズルと該局部洗浄ノズルを出し入れ自在に収納する装置ケースとを有する局部洗浄装置と備え、便器本体と局部洗浄装置の装置ケースとを共通の支持フレームにて支持した便器装置であって、上記ボウル部の後部に位置するリム後部よりも後方位置に、リム後部の左右両側からリムと連続して後方に突出する左右の突出側壁を設けると共に両突出側壁間に装置ケースを収納可能な後方に開口した収納開口部を設け、収納開口部の互いに対向する両内側面における前後にずれた左右対角位置に一対の嵌合部を設け、収納開口部に収納される上記装置ケースの左右両側の上記一対の嵌合部と個別に対応する対角位置に一対の嵌合部に着脱自在に嵌合する一対の被嵌合部を設けると共に、上記装置ケースの前端部を上記リム後部と装置ケースとの間に配置されるシール部材に密着させてなることを特徴とする便器装置。
【請求項２】
上記装置ケースの前端部下面を後方に向かって下り傾斜させると共に、当該前端部下面を除く装置ケース下面部分をリム後部上面よりも低い位置に配置してなることを特徴とする請求項１記載の便器装置。
【発明の詳細な説明】
【技術分野】
【０００１】
本発明は、便器装置に関し、詳しくは、ボウル部のリムに対して局部洗浄装置の装置ケースを位置決めする技術に関するものである。
【背景技術】
【０００２】
従来より、ボウル部を備えた前パーツと、後パーツと、これら前パーツと後パーツとを支持する支持フレームとで構成された便器装置が知られている（例えば、特許文献１参照）。
【先行技術文献】
【特許文献】
【０００３】
【特許文献１】特開２００７−１９１９０１号公報
【発明の概要】
【発明が解決しようとする課題】
【０００４】
ところが、従来は、図９、図１０に示すように、後パーツ１Ｂの一部を構成する局部洗浄装置５の装置ケース８を支持フレーム９にて支持しているが、ボウル部３の上端縁にリム４が形成されてなる便器本体２と装置ケース８との間は直接締結されるものではなく、そのため前パーツ１Ａと後パーツ１Ｂを構成する部品寸法のばらつきにより、ボウル部３の後部に位置するリム４と装置ケース８との間に位置ずれが生じやすく、リム後部４ａと装置ケース８間に生じる隙間２６から、排便・小便の跳ね返りや飛び散り等による汚水がボウル部３の外部に漏れ出すという問題がある。
【０００５】
本発明は上記の従来の問題点に鑑みて発明したものであって、便器本体のリムに対する局部洗浄装置の装置ケースの位置決め強度と止水強度とをそれぞれ高めることができる便器装置を提供することにある。
【課題を解決するための手段】
【０００６】
前記の課題を解決するために、本発明は、ボウル部３の上端縁に沿ってリム４が形成された便器本体２と、便器本体２の後部上面に配置されて人体の局部を洗浄する局部洗浄ノズル６と該局部洗浄ノズル６を出し入れ自在に収納する装置ケース８とを有する局部洗浄装置５と備え、便器本体２と局部洗浄装置５の装置ケース８とを共通の支持フレーム９にて支持した便器装置１である。上記ボウル部３の後部に位置するリム後部４ａよりも後方Ｂ位置に、リム後部４ａの左右両側からリム４と連続して後方Ｂに突出する左右の突出側壁１１を設けると共に両突出側壁１１間に上記装置ケース８を収納可能な後方Ｂに開口した収納開口部１２を設ける。収納開口部１２の互いに対向する両内側面１１ａにおける前後Ａ,Ｂにずれた左右対角位置Ｐ１,Ｐ２に一対の嵌合部１３を設け、収納開口部１２に収納される上記装置ケース８の左右両側の上記一対の嵌合部１３と個別に対応する対角位置に一対の嵌合部１３に着脱自在に嵌合する一対の被嵌合部１４を設けると共に、上記装置ケース８の前端部を上記リム後部４ａと装置ケース８との間に配置されるシール部材１５に密着させてなることを特徴としている。
【０００７】
このような構成とすることで、局部洗浄装置５の装置ケース８を収納開口部１２に嵌め込む際に、収納開口部１２内の前後Ａ,Ｂにずれた左右対角位置Ｐ１,Ｐ２にある一対の嵌合部１３に対して、装置ケース８の左右２箇所にある一対の被嵌合部１４を前後片側ずつスムーズに嵌合させてリム４と装置ケース８とを直接嵌合させることができ、これにより、たとえ部品寸法のばらつきがあっても、リム４に対する装置ケース８の位置決め強度を高めることができると共に、リム後部４ａと装置ケース８との隙間２６に介挿したシール部材１５が装置ケース８の前端部に密着して確実にシールでき、止水強度が同時に高められる。さらにメンテナンスの際の分解時には、嵌合部１３と被嵌合部１４との掛かり代分だけ装置ケース８を僅かに水平回動させるだけで前後片側ずつそれぞれ容易に取り外し可能となる。
【０００８】
また、上記装置ケース８の前端部下面８ａを後方Ｂに向かって下り傾斜させると共に、当該前端部下面８ａを除く装置ケース下面部分８ｂをリム後部上面４ｂよりも低い位置に配置してなるのが好ましく、この場合、装置ケース下面部分８ｂの高さを低くできるので、装置ケース下面部分８ｂの上に設置される局部洗浄ノズル６の高さも低くでき、局部洗浄装置５の上方への突出寸法を小さく抑えてコンパクト化を図ることができる。
【発明の効果】
【０００９】
本発明は、局部洗浄装置の装置ケースを収納可能な後方に開口した収納開口部と、収納開口部の互いに対向する両内側面における嵌合構造と、装置ケースとリム後部間の隙間に配置されるシール部材との組み合わせにより、便器本体のリムに対する装置ケースの位置決め強度と止水強度の２条件を満足させることができるものである。
【図面の簡単な説明】
【００１０】
【図１】本発明の一実施形態の便器本体のリムに対する局部洗浄装置の装置ケースの嵌合位置決め状態を示す便器装置の平面図である。
【図２】同上の便器装置の前パーツと後パーツとこれを支持する支持フレームとを示す側面図である。
【図３】同上の前パーツを後方から見た斜視図である。
【図４】（ａ）は図１のＰ１（Ｐ２）における嵌合部と被嵌合部との嵌合位置決め状態を示す平面図、（ｂ）は（ａ）のｄ−ｄ線に沿う側面断面図である。
【図５】同上の装置ケースを水平回動させて嵌合部と被嵌合部との嵌合を取り外す場合を説明する平面図である。
【図６】同上のリム後部と装置ケースとの間にシール部材を介在させた状態を説明する側面断面図である。
【図７】同上の後パーツを前方から見た一部を破断して示した斜視図である。
【図８】同上の後パーツを後方から見た斜視図である。
【図９】従来の温水洗浄一体式便器の一例を示す斜視図である。
【図１０】従来のリム後部と局部洗浄装置の装置ケースとの位置関係を説明する側面断面図である。
【発明を実施するための形態】
【００１１】
以下、本発明を添付図面に示す実施形態に基いて説明する。
【００１２】
本実施形態の便器装置１は、図２、図３、図８に示すように、便器本体２とスカート部１６とを備えた前パーツ１Ａと、局部洗浄装置５の装置ケース８、上カバー１０、リアスカート、左右のサイドスカート１７をそれぞれ備えた後パーツ１Ｂと、これら前パーツ１Ａと後パーツ１Ｂを支持する共通の金属製の支持フレーム９とで構成してある。
【００１３】
便器本体２は、図１に示すように、ボウル部３と、ボウル部３の上端開口縁の全周にわたって形成されたリム４とからなる。リム４の上面は便座載置面となる。ボウル部３の底部の後部には排水筒部１８（図３）が設けられる。
【００１４】
上記リム４のうちボウル部３の後部に位置するリム後部４ａの内部には、図６に示すように、局部洗浄装置５のノズル出し入れ部７を収納する収納空間１９が形成され、その収納空間１９の前側壁に局部洗浄ノズル６の先端部を出退させるためのノズル用開口部２０が形成されている。
【００１５】
便器本体２の後部上面に配置される局部洗浄装置５は、図６に示すように、装置ケース８の上面に局部洗浄ノズル６が固定されている。ここでは、リム後部４ａと連続して上方に立ち上がる立ち上り部４ｃの下方に局部洗浄ノズル６が収納されると共に、立ち上り部４ｃの下部にノズル出し入れ部７が設けられている。局部洗浄ノズル６は上カバー１０で被覆されている。なお、装置ケース８の上面には、局部洗浄ノズル６以外に、送風ダクト２１（図７）、図示省略した貯湯タンク、送水用ポンプ、温風供給用の温風ファン、水道水からの入水を制御する電磁弁等の機能部品が設置される。
【００１６】
本例の装置ケース８の前端部下面８ａは、図６に示すように、後方Ｂに向かって下り傾斜しており、この前端部下面８ａを除く装置ケース下面部分８ｂをリム後部上面４ｂよりも低い位置に配置している。この装置ケース８は、支持フレーム９の後部上面にネジ具２３（図２）により締結固定される。この締結は図８に示すように左右２箇所で行われる。
【００１７】
一方、ボウル部３の後部に位置するリム後部４ａよりも後方Ｂには、図１、図３に示すように、リム４と連続してリム後部４ａの左右両側から後方Ｂに向かって突出する左右の突出側壁１１が設けられており、両突出側壁１１の間に装置ケース８が収納可能な後方Ｂに開口した収納開口部１２が形成される。本例の両突出側壁１１はリム後部４ａから立ち上がる立ち上り部４ｃと連続して形成されている。また収納開口部１２の底面部分には、装置ケース８の前端部下面８ａをガイドする下ガイド面２５が設けられている。なお図３は後方Ｂに突出する左右の突出側壁１１をそれぞれ途中から破断した図面を示している。
【００１８】
上記左右の突出側壁１１の互いに対向する内側面１１ａには、図１に示すように、一対の嵌合部１３が設けられている。各嵌合部１３は両内側面１１ａにおける前後Ａ,Ｂにずれた左右対角位置Ｐ１,Ｐ２に設けられている。本例の各嵌合部１３は、図４に示すように、収納開口部１２の内側面１１ａから内方に向けて突出した嵌合面１３ａと、嵌合面１３ａの先端から後方Ｂに向かって徐々に突出高さが小さくなる傾斜ガイド面１３ｂとからなる。
【００１９】
一方、装置ケース８の左右両側の上記一対の嵌合部１３と個別に対応する対角位置には、一対の嵌合部１３に対して着脱自在に嵌合する一対の被嵌合部１４が設けられている。本例では装置ケース８の左右両端部から上方に向かって突設したリブ５１（図４）の上端部に被嵌合部１４をそれぞれ設けて、図２に示すように、嵌合部１３と被嵌合部１４とを同じ高さ位置に配置している。各被嵌合部１４は、図４（ａ）に示すように、リブ５１の外側面から内方に向けて突出した嵌合面１４ａと、嵌合面１４ａの先端から前方Ａ（リム後部４ａ側）に向かって徐々に突出高さが小さくなる傾斜ガイド面１４ｂとからなる。そして装置ケース８を前方Ａに押し込むと、被嵌合部１４の傾斜ガイド面１４ｂが嵌合部１３の傾斜ガイド面１３ｂを乗り越えて嵌合できるようになり、装置ケース８を後述のように水平に回動させると容易に外れる構造となっている。
【００２０】
上記リム後部４ａと装置ケース８の前端部下面８ａとの間には、図６、図７に示すように、シール部材１５が介在される。シール部材１５は例えば弾性を有する防水材料からなる。本例ではシール部材１５は、図７のハッチングで示すように送風ダクト２１の先端外周面にも巻き付けられており、ダクト用開口部２２（図３）からの臭気漏れも同時に防ぐようにしている。
【００２１】
次に組立動作を説明する。
【００２２】
予め、装置ケース８の前端部下面８ａ又はリム後部上面４ｂのいずれか一方にシール部材１５を貼着しておく。その後、装置ケース８を水平にして下ガイド面２５に沿わせて収納開口部１２内に押し込む。このとき、被嵌合部１４の傾斜ガイド面１４ｂが嵌合部１３の傾斜ガイド面１３ｂを乗り越えることで、嵌合面１３ａ,１４ａ同士がスムーズに嵌合する。またこのとき装置ケース８を水平に回動させる動作を加えることで、左右対角位置に位置する嵌合部１３と被嵌合部１４とを前後片側ずつ嵌合させることができ、リム４に対する装置ケース８の嵌合動作が容易となる。この嵌合状態では局部洗浄ノズル６の先端部分がノズル用開口部２０に位置決めされ、同時に送風ダクト２１の先端部分がダクト用開口部２２に位置決めされる。その後、装置ケース８を支持フレーム９にネジ具２３にて締結する。この締結によって、図６に示すように、シール部材１５が装置ケース８の前端部下面８ａとリム後部４ａとの間で押圧されて双方の隙間２６が確実にシールされた状態となる。
【００２３】
一方、メンテナンスのための分解時には、装置ケース８を支持フレーム９から取り外し、その後、収納開口部１２から引き抜く。このとき、最初に装置ケース８を一旦押し込み、図５の矢印ａで示すように嵌合部１３と被嵌合部１４との掛かり代分だけ水平に僅かに回動させることで、左右対角位置Ｐ１,Ｐ２にある嵌合部１３と被嵌合部１４とを前後片側ずつ外すことが可能となり、狭いトイレ空間でも分解作業をスムーズに行えるようになる。
【００２４】
しかして、組立時において、たとえ部品寸法のばらつきがあっても、リム４に対する装置ケース８の位置決め強度を高めることができると共に、装置ケース８の前端部下面８ａがシール部材１５に密着することで止水強度が同時に高められる。この結果、組立作業がはかどると共に、安定してシールを行えるので、汚水が当該隙間２６に浸入することがなく、清掃もきわめて容易となる。
【００２５】
また本例では、装置ケース８の前端部下面８ａを後方Ｂに向かって下り傾斜させているので、前端部下面８ａを除く装置ケース下面部分８ｂをリム後部上面４ｂよりも低い位置に配置できるようになり、これにより装置ケース８の高さを低くでき、局部洗浄装置５の上方への突出寸法を小さくしてコンパクト化を図ることができる利点もある。
【００２６】
さらに本例では、装置ケース８の前端部分の肉厚を薄くすることで前端部下面８ａを傾斜させているが、この前端部分の上面には局部洗浄ノズル６等の機器は載設されないため上からの荷重はかからず、しかも前端部下面８ａはリム後部４ａ上の弾性を有するシール部材１５にて下方から支持されているため、前端部分を薄肉にしても装置ケース８全体として強度的に何ら問題はない。
【符号の説明】
【００２７】
１  便器装置
２  便器本体
３  ボウル部
４  リム
４ａ  リム後部
４ｂ  リム後部上面
５  局部洗浄装置
６  局部洗浄ノズル
７  ノズル出し入れ部
８  装置ケース
８ａ  前端部下面
８ｂ  装置ケース下面部分
９  支持フレーム
１１  突出側壁
１１ａ  内側面
１２  収納開口部
１３  嵌合部
１４  被嵌合部
１５  シール部材
Ａ  前方
Ｂ  後方
Ｐ１,Ｐ２  左右対角位置
【図１】
2010255315.tif 000003
【図２】
2010255315.tif 000004
【図３】
2010255315.tif 000005
【図４】
2010255315.tif 000006
【図５】
2010255315.tif 000007
【図６】
2010255315.tif 000008
【図７】
2010255315.tif 000009
【図８】
2010255315.tif 000010
【図９】
2010255315.tif 000011
【図１０】
2010255315.tif 000012